(57)【要約】【課題】天井に対する着脱が容易な照明器具を提供する。【解決手段】パネル型照明器具１００は、照明本体１と、照明本体１を支持部材２００に取り付ける取付片６０と、を有する。取付片６０の折り返し部６５と壁部６４との間には、支持部材２００の少なくとも一部が収容される収容空間Ａが形成されており、屈曲部６６と壁部６４の間および誘い込み部６７と壁部６４との間には、支持部材２００の上部を収容空間Ａに挿通させる通路Ｂが形成されている。支持部材２００の少なくとも一部を収容空間Ａに位置させることで、照明本体１が支持部材２００に取り付け可能である。【選択図】図４
2015230867.tif 000002
【特許請求の範囲】
【請求項１】
天井に設けられた支持部材によって区切られた空間に設置されるパネル型照明器具であって、
発光部を有する照明本体と、
前記照明本体に固定され、前記照明本体を支持部材に取り付ける取付片と、を有し、
前記取付片は、
上下方向に延びる壁部と、
前記壁部の上部から前記支持部材の上部の少なくとも一部を囲むように水平方向に延びて下方に折り返された折り返し部と、
前記折り返し部の下部から前記壁部に向かうように傾斜しながら下方に延びる屈曲部と、
前記屈曲部の下部から前記壁部から遠ざかるように傾斜しながら下方に延びる誘い込み部と、を有し、
前記折り返し部と前記壁部との間には、前記支持部材の少なくとも一部が収容される収容空間が形成されており、
前記屈曲部と前記壁部の間および前記誘い込み部と前記壁部との間には、前記支持部材の上部を前記収容空間に挿通させる通路が形成されており、
前記支持部材の少なくとも一部を前記収容空間に位置させることで、前記照明本体が前記支持部材に取り付け可能である、パネル型照明器具。
【請求項２】
前記誘い込み部の鉛直方向に対する傾斜角は、前記屈曲部の鉛直方向に対する傾斜角より小さい、請求項１に記載のパネル型照明器具。
【請求項３】
前記照明本体に設けられたネジ穴に嵌め込まれた固定ネジにより、前記取付片は前記照明本体に固定されており、
前記取付片は、前記固定ネジが挿通され、前記固定ネジの挿通方向に直交する方向に延びる長孔部を有し、
前記取付片は、前記長孔部に対する前記ネジ穴の相対位置を変化させることにより、前記照明本体に対する相対位置を変更可能とされている、請求項１または２に記載のパネル型照明器具。
【発明の詳細な説明】
【技術分野】
【０００１】
本発明は、パネル型照明器具に関する。
【背景技術】
【０００２】
特許文献１などにパネル型照明器具が知られている。
【先行技術文献】
【特許文献】
【０００３】
【特許文献１】特開２０１０−１１８１８６号公報
【発明の概要】
【発明が解決しようとする課題】
【０００４】
ところで、上述のようなパネル型照明器具は、照明器具に設けられた固定ブラケットを天井の支持部材にネジ止めすることにより、天井に固定されている。このため、照明器具を天井に着脱する際には、このネジを締めたり緩めたりする必要があり、照明器具を天井に対して簡単に着脱することが難しかった。
そこで本発明は、天井に対する着脱が容易なパネル型照明器具を提供することを目的とする。
【課題を解決するための手段】
【０００５】
本発明に係るパネル型照明器具は、
天井に設けられた支持部材によって区切られた空間に設置されるパネル型照明器具であって、
発光部を有する照明本体と、
前記照明本体に固定され、前記照明本体を支持部材に取り付ける取付片と、を有し、
前記取付片は、
上下方向に延びる壁部と、
前記壁部の上部から前記支持部材の上部の少なくとも一部を囲むように水平方向に延びて下方に折り返された折り返し部と、
前記折り返し部の下部から前記壁部に向かうように傾斜しながら下方に延びる屈曲部と、
前記屈曲部の下部から前記壁部から遠ざかるように傾斜しながら下方に延びる誘い込み部と、を有し、
前記折り返し部と前記壁部との間には、前記支持部材の少なくとも一部が収容される収容空間が形成されており、
前記屈曲部と前記壁部の間および前記誘い込み部と前記壁部との間には、前記支持部材の上部を前記収容空間に挿通させる通路が形成されており、
前記支持部材の少なくとも一部を前記収容空間に位置させることで、前記照明本体が前記支持部材に取り付け可能である。
【０００６】
本発明に係るパネル型照明器具によれば、パネル型照明器具を支持部材に取り付ける際には、パネル型照明器具を支持部材に対して上方から下方に下ろすことにより、支持部材を取付片の通路を介して収容空間に挿入し、支持部材を収容空間に位置させて、取り付けることができる。
パネル型照明器具を支持部材から取り外す際には、パネル型照明器具を支持部材に対して持ち上げることにより、支持部材を通路を介して収容空間から離脱させて、取り外すことができる。
このように、ネジなどを使わず、パネル型照明器具を下げるあるいは持ち上げるといった簡単な動作で、支持部材に対して着脱できる。
【０００７】
上記本発明に係るパネル型照明器具において、
前記誘い込み部の鉛直方向に対する傾斜角は、前記屈曲部の鉛直方向に対する傾斜角より小さく設定してもよい。
【０００８】
本発明に係るパネル型照明器具によれば、誘い込み部の傾斜により、パネル型照明器具の自重だけで、支持部材を収容空間に入り込ませやすい。また、地震などの振動が作用しても、屈曲部の傾斜によって、パネル型照明器具が支持部材から容易に離脱することを防止できる。
【０００９】
上記本発明に係るパネル型照明器具において、
前記照明本体に設けられたネジ穴に嵌め込まれた固定ネジにより、前記取付片は前記照明本体に固定されており、
前記取付片は、前記固定ネジが挿通され、前記固定ネジの挿通方向に直交する方向に延びる長孔部を有し、
前記取付片は、前記長孔部に対する前記ネジ穴の相対位置を変化させることにより、前記照明本体に対する相対位置を変更可能とされていてもよい。
【００１０】
本発明に係るパネル型照明器具によれば、例えば、共通の支持部材に２つの隣り合うパネル型照明器具を取り付ける際に、取付片の位置を調整することにより、互いの取付片が干渉することを防止できる。
【発明の効果】
【００１１】
本発明に係る照明器具によれば、天井に対する着脱が容易な照明器具が提供される。
【図面の簡単な説明】
【００１２】
【図１】本発明の実施形態に係る照明器具の底面図である。
【図２】図１に示した照明器具の側断面図である。
【図３】取付ブラケットの斜視図である。
【図４】取付ブラケットの一部の断面図である。
【図５】本実施形態に係る照明器具を使った天井のレイアウトを示す模式図である。
【発明を実施するための形態】
【００１３】
以下、本発明の一実施形態に係る照明器具について、図１から図４を参照して詳細に説明する。
図１は本実施形態に係るパネル型の照明器具１００の底面図であり、拡散カバー４０の一部を切り欠いて示している。図２は図１に示した照明器具１００の側断面図である。なお、以降の説明において、下方とは図２に示すＸ方向を言い、右方とは図２に示すＹ方向を言う。
【００１４】
図１および図２に示したように、照明器具１００は、扁平な直方体形状のパネル型の照明器具である。本実施形態に係る照明器具１００が取り付けられるシステム天井には、格子状に張り巡らされた梁によって区切られたパネル空間が設けられている。このパネル空間内に照明器具１００が嵌めこまれる。
【００１５】
本実施形態の照明器具１００は、システム天井の矩形状に区切られた縦横が６００ｍｍの直方体状のパネル状の空間に隙間無く嵌め込むために、図１の平面視で縦横が６００ｍｍの正方形の形状に形成されている。この照明器具１００は複数のＴバー（支持部材）２００（図２参照）と呼ばれる固定具に支持される。
【００１６】
図２に示すように、照明器具１００は、灯具ユニット１（照明本体）と、灯具ユニット１と別体に設けられた電源ユニット３とを備えている。電源ユニット３は、外部電源から電力を受け取り、所定の電圧または電流に変換して出力する。灯具ユニット１は、電源ユニット３から供給される電力によって駆動される。
【００１７】
灯具ユニット１は、ベースプレート１０と、回路基板２０と、回路基板２０上に直線状に配列された半導体光源ユニット３０と、拡散カバー４０（発光部）とを備えている。この照明器具１００は、拡散カバー４０を下方に向けた姿勢でシステム天井に取り付けられている。
【００１８】
ベースプレート１０は灯具ユニット１の上面を構成する金属製の１枚の板状部材である。ベースプレート１０の外周部は斜め下方に折り曲げられ、さらにその外周縁部１１は側方に突き出している。
【００１９】
回路基板２０は、プリント基板などによって構成することができる。回路基板２０上にはプリント配線が形成され、電源ユニット３からの電力が回路基板２０上に搭載された半導体光源ユニット３０に供給される。本実施形態では、１枚の細長い回路基板２０上に１０個の半導体光源ユニット３０が長手方向に一列に配列されており、１０枚の回路基板２０が１枚のベースプレート１０に取り付けられている。
【００２０】
半導体光源ユニット３０は、ＬＥＤ（Light Emitting Diode）からなる光源３１と、光源３１と一体に設けられたレンズ要素３２とを備えている。光源３１は、その発光面が下方を向くように、回路基板２０に固定されている。レンズ要素３２は、光源３１から出射された光を屈折させて下方および側方に向けて出射させる。
【００２１】
回路基板２０はファスナ５０によってベースプレート１０に取り付けられている。また、回路基板２０はベースプレート１０に面接触されており、半導体光源ユニット３０からの熱が効率よくベースプレート１０に逃がされる。ベースプレート１０に伝わった熱はベースプレート１０の上面から大気中に放熱される。
【００２２】
拡散カバー４０は、乳白色のアクリル樹脂などにより一体成形された樹脂成形品である。拡散カバー４０は上方に開口した箱型形状をなしている。拡散カバー４０は、開口面をベースプレート１０に向けた状態で、ベースプレート１０に取り付けられている。拡散カバー４０はベースプレート１０との間に灯室Ｓを形成している。この灯室Ｓ内に回路基板２０と半導体光源ユニット３０とが収容されている。
【００２３】
ベースプレート１０の外周縁と拡散プレート４０の外周縁４１は、それぞれ側方に突き出した形状とされている。ベースプレート１０の外周縁と拡散プレート４０の外周縁とが互いに当接し、灯具ユニット１の内部を密閉している。ベースプレート１０の外周縁部１１と拡散プレート４０の外周縁４１は、灯具ユニット１の側面に側方に突き出すフランジ部１ａを形成している。
【００２４】
このように構成された灯具ユニット１において、半導体光源ユニット３０から出射された光が拡散プレート４０の底面および側面に入射することにより、拡散プレート４０の底面および側面が略均一に発光する。
【００２５】
照明器具１００は、天井に設けられたＴバー２００に支持されている。Ｔバー２００は、図２の紙面に対して垂直方向に延びる略板状の部材である。Ｔバー２００は、梁部２０１と、梁部２０１の下方に設けられた天井材支持部２０２と、梁部２０１と天井材支持部２０２とを接続する接続部２０３とを備えている。左右方向について、接続部２０３は梁部２０１より小さく、天井材支持部２０２は接続部２０３より大きく形成されている。天井材支持部２０２の上面を使って、天井材３００が支持される。
照明器具１００は、灯具ユニット１に固定された取付ブラケット６０（取付片）を介してＴバー２００の梁部２０１に取り付けられている。
【００２６】
＜取付ブラケット＞
次に、図３および図４を用いて、取付ブラケット６０を詳細に説明する。
図３は取付ブラケット６０を示す斜視図であり、図４は取付ブラケット６０のＴバー取付部６０Ｂの断面図である。取付ブラケット６０は、一枚の金属板に打ち抜き加工および折り曲げ加工を施すことにより形成される。取付ブラケット６０は、灯具ユニット１に連結される灯具取付部６０Ａと、Ｔバー２００に連結されるＴバー取付部６０Ｂとを備えている。
【００２７】
灯具取付部６０Ａは、ベース当接部６１と、フランジ保持部６２と、ベース当接部６１とフランジ保持部６２とを接続する接続部６３とを有している。
ベース当接部６１は、水平方向に延びている。ベース当接部６１は、ベースプレート１０の上面に当接する。ベース当接部６１は、照明器具１００の落下を防止する吊紐Ｃ（図２参照）の一端が連結される吊紐固定部６９と、長孔部７０とを備えている。長孔部７０は、照明器具１００の外縁に沿って延びる長孔形状とされている。灯具ユニット１のベースプレート１０に設けられたネジ孔１２および回路基板２０に設けられた貫通孔２１に、取付ブラケット６０の長孔部７０を貫通した固定ネジ７１が挿入されることにより、取付ブラケット６０が照明器具１００に固定されている。
フランジ保持部６２は、ベース当接部６１より下方に設けられている。フランジ保持部６２は、灯具ユニット１のフランジ部１ａを覆うように、フランジ部１ａに向かって開口する断面Ｕ字状である。
ベース当接部６１がベースプレート１０に固定され、フランジ保持部６２がフランジ部１ａを保持することにより、取付ブラケット６０が灯具ユニット１に固定されている。
【００２８】
Ｔバー取付部６０Ｂは、壁部６４と、折り返し部６５と、屈曲部６６と、誘い込み部６７と、ガイド部６８を一体に有している。
壁部６４は、上下方向に延びる部位である。壁部６４は、ベース当接部６１の端部から上方に延びている。壁部６４は、Ｔバー２００の梁部２０１の上下方向の寸法より長く上方に延びている。
折り返し部６５は、壁部６４の上部から壁部６４から遠ざかるように延びて、その先端側で下方に折り返されている。本実施形態においては、折り返し部６５は約９０°の角度で下方に折り返されている。折り返し部６５は、Ｔバー２００の梁部２０１の幅寸法より長く、壁部６４の上部から右方に延びている。図４に示すように、折り返し部６５はＴバー２００の上部の梁部２０１の少なくとも一部を囲む形状に形成されている。
これにより、壁部６４と折り返し部６５との間には、Ｔバー２００の少なくとも一部が収容される収容空間Ａが形成されている。
【００２９】
屈曲部６６は、折り返し部６５の下部から壁部６４に向かうように傾斜しながら下方に延びている。
誘い込み部６７は、屈曲部６６の下部からベース当接部６１から遠ざかるように傾斜しながら下方に延びている。誘い込み部６７の鉛直方向に対する傾斜角θ２は、屈曲部６６の鉛直方向に対する傾斜角θ１より小さく設定されている。
誘い込み部６７の下部は、誘い込み部６７よりも大きな傾斜角度で傾斜しながら下方に延びるガイド部６８が設けられている。鉛直方向について、ガイド部６８の下端は壁部６４の下端と略等しい位置に設けられている。
壁部６４と屈曲部６６との間および誘い込み部６７と壁部６４との間には、Ｔバー２００の梁部２０１を収容空間Ａに挿通させる通路Ｂが形成されている。この通路Ｂの上部は壁部６４と折り返し部６５との間に形成された収容空間Ａと接続されている。この通路Ｂの下部は下方に向かって開口されている。
【００３０】
＜照明器具１００の天井への取付け方法および取外し方法＞
次に、照明器具１００の天井への取付方法および取外し方法を説明する。
まず、照明器具１００の天井への取付方法を説明する。取付ブラケット６０が灯具ユニット１に取り付けられた照明器具１００を、取付ブラケット６０の通路Ｂの開口がＴバー２００の梁部２０１より上方に位置するように、持ち上げる。
次に、Ｔバー２００の梁部２０１が通路Ｂの開口に位置するように梁部２０１に対して照明器具１００の位置および姿勢を合せ、照明器具１００を下ろす。すると、Ｔバー２００の梁部２０１が通路Ｂの開口から収容空間Ａに向かって挿入される。梁部２０１が収容空間Ａに進入し、梁部２０１の上部が折り返し部６５の水平に延びた部位に当接すると、取付ブラケット６０が梁部２０１に引っ掛かる。これにより、照明器具１００のＴバー２００への取付が完了する。
このように、本実施形態に係る照明器具１００は、従来のようにねじを用いることなく、簡単な方法でＴバー２００へ取り付けることができる。
また、照明器具１００を下ろす際には、ガイド部６８および誘い込み部６７によって通路Ｂの下部が広げられているため、Ｔバー２００の梁部２０１がガイド部６８および誘い込み部６７によって通路Ｂに誘い込まれ、梁部２０１が収容空間Ａに導かれやすい。また、誘い込み部６７の傾斜を使って、照明器具１００の自重だけで梁部２０１を収容空間Ａに入り込ませやすい。このように、簡単かつ確実に照明器具１００をＴバー２００に取り付けることができる。
【００３１】
また、照明器具１００を天井から取り外す際には、上記とは逆に、梁部２０１に対して取付ブラケット６０が上方に離脱するように照明器具１００を上方に持ち上げ、梁部２０１が開口に位置しないように照明器具１００の位置および姿勢を変えて、照明器具１００を下ろす。この場合でも、ねじを取り外す作業の必要がなく、簡単に照明器具１００をＴバー２００から取り外すことができる。
なお、屈曲部６６によって通路Ｂの上部が収容空間Ａより狭められているため、照明器具１００を持ち上げる際には、屈曲部６６が梁部２０１の下部に当接し、持ち上げる力に対する抗力が生じる。このため、例えば地震などによって意図せずに照明器具１００が持ち上げられたり、あるいは、拡散カバー４０の下面を拭き掃除する際などに意図せずに照明器具１００が持ち上がることが抑制されている。
このように、本実施形態によれば、Ｔバー２００に対して着脱が容易な照明器具１００が提供される。
【００３２】
本実施形態に係る照明器具１００において、誘い込み部６７の鉛直方向に対する傾斜角θ２は、屈曲部６６の鉛直方向に対する傾斜角θ１より小さく設定されている。このため、誘い込み部６７の傾斜によりＴバー２００の梁部２０１を収容空間Ａに入り込ませやすく、かつ、屈曲部６６の傾斜により意図せずに照明器具１００が梁部２０１から離脱することを防止しやすい。
【００３３】
また、本実施形態に係る照明器具１００において、長孔部７０は固定ネジ７１の挿通方向に直交する方向に延びる長孔形状とされている。このため、ベースプレート１０のネジ孔１２を長孔部７０内で相対移動させて、灯具ユニット１に対する取付ブラケット６０の取付位置を長孔部７０の延びる方向へずらすことができる。これにより、例えば、隣接する照明器具１００の互いの取付ブラケット６０が重なってしまう場合には、取付ブラケット６０の位置をずらして取付ブラケット６０の干渉を防ぎ、それぞれの照明器具１００を支障なくＴバー２００に取り付けることができる。
【００３４】
なお、屈曲部６６は、照明器具１００を持ち上げようとするときに取付ブラケット６０を梁部２０１から離脱させる力に対する反力を与える。屈曲部６６の鉛直方向に対する傾斜角度を大きくすると、この反力が大きくなる。そこで、拡散カバー４０の下面の拭き掃除をするときに照明器具１００に作用させる上向きの力の程度では照明器具１００が持ち上がらないように、この屈曲部６６の鉛直方向に対する傾斜角度を設定することが好ましい。
【００３５】
以上説明したように、本実施形態に係る照明器具１００は、着脱が容易である。このため、室内の利用目的に合せて、簡単に照明器具１００の配置を変えることができる。そこで、本実施形態に係る照明器具１００は、多目的室など、複数の異なる用途で用いる部屋を照明する照明器具１００として最適である。
図５は、本実施形態に係る照明器具１００を使った天井のレイアウトを示す模式図である。この天井は、Ｔバー２００によって縦横に６個ずつパネル状の空間に区切られている。３６個のパネル状の空間に、照明器具１００と天井材３００が設置されている。
本実施形態に照明器具１００は、上述したように着脱が容易なため、部屋の用途に合せて照明器具１００の配置を簡単に変えることができる。
例えば、図５の（ａ）は、人々が部屋全体を使って集会を行う場合など、部屋全体を均等に照明したい場合に適したレイアウトである。
図５の（ｂ）や（ｆ）は、部屋の中央に人が集まって会議をする場合など、部屋の中央を集中的に照明したい場合に適したレイアウトである。
図５の（ｃ），（ｄ），（ｅ），（ｇ）は、照明器具１００の配置を変則的にして、人々をリラックスさせて談笑スペースに使う場合などに適したレイアウトである。
本実施形態に係る照明器具１００は設置場所を簡単に変更できるので、同一の部屋を使いつつ、照明器具１００の設置場所を異ならせることで、部屋の使用目的により適した空間を演出しやすい。
【００３６】
以上、本発明をその実施形態を用いて説明したが、本発明の技術的範囲は上記実施形態に記載の範囲には限定されない。上記実施形態に多様な変更または改良を加えることができることは、当業者にとって明らかである。
【００３７】
例えば、上述したＬＥＤ素子の個数、回路基板２０の個数は一例であって、本発明はこれらの個数に限定されることはない。
【００３８】
例えば、上述した実施形態では、取付ブラケット６０の壁部６４がＴバー２００より灯具ユニット１の近くに位置し、屈曲部６６、誘い込み部６７およびガイド部６８がＴバー２００より灯具ユニット１の遠くに位置する例を説明したが、本発明はこれに限られない。壁部６４がＴバー２００より灯具ユニット１の遠くに位置し、屈曲部６６、誘い込み部６７およびガイド部６８がＴバー２００より灯具ユニット１の近くに位置するように、取付ブラケット６０を構成してもよい。
【符号の説明】
【００３９】
１００：照明器具
１：灯具ユニット
１ａ：フランジ部
３：電源ユニット
１０：ベースプレート
２０：回路基板
３０：半導体光源ユニット
４０：拡散カバー
６０：取付ブラケット
６０Ａ：灯具取付部
６０Ｂ：Ｔバー取付部
６１：ベース当接部
６２：フランジ保持部
６３：接続部
６４：壁部
６５：折り返し部
６６：屈曲部
６７：誘い込み部
６８：ガイド部
６９：吊紐固定部
７０：長孔部
７１：固定ネジ
２００：Ｔバー
２０１：梁部
２０２：天井材支持部
２０３：接続部
３００：天井部材
Ａ：収容空間
Ｂ：通路
Ｓ：灯室
【図１】
2015230867.tif 000003
【図２】
2015230867.tif 000004
【図３】
2015230867.tif 000005
【図４】
2015230867.tif 000006
【図５】
2015230867.tif 000007